(57)【要約】【課題】従来の室内空気を清浄化させる空気清浄機は、フィルタ寿命の段階的な表示、フィルタの汚れ具合の段階表示は行なっているが、フィルタの清浄化能力との関連付けができず、現在空気清浄機が有効に機能しているかどうかが認識できないという課題があり、清浄化能力を直接表示して使用者に知らせることがまれている。【解決手段】室内の汚れ状態表示と併用した清浄化能力表示手段４の表示部４ａと、本体１の吸込み口２の近傍に吸気粉塵センサ５、吸気ＶＯＣセンサ６、吸気アンモニアセンサ７と、吹出し口３の近傍に吹出し粉塵センサ８、吹出しＶＯＣセンサ９および吹出しアンモニアセンサ１０と、各センサ信号から清浄化能力を判定する判定手段４ｂと表示部４ａに状態を出力する出力部４ｃを備え、清浄化能力を直接表示する構成とした。【選択図】図１
2008136975.tif 000002
【特許請求の範囲】
【請求項１】
室内の汚れを清浄化する空気清浄機において、前記空気清浄機の清浄化能力を表示する清浄化能力表示手段を備えたことを特徴とする空気清浄機。
【請求項２】
清浄化能力を表示する室内の汚れ対象は、室内に浮遊する粉塵を含むことを特徴とする請求項１記載の空気清浄機。
【請求項３】
清浄化能力を表示する室内の汚れ対象は、室内の揮発性有機化合物を含むことを特徴とする請求項１記載の空気清浄機。
【請求項４】
清浄化能力を表示する室内の汚れ対象は、室内のアンモニア臭を含むことを特徴とする請求項１記載の空気清浄機。
【請求項５】
清浄化能力表示手段は、室内の汚れ状態表示と併用したことを特徴とする請求項１記載の空気清浄機。
【請求項６】
清浄化能力表示と室内の汚れ状態表示を切り換える表示切換手段を備えたことを特徴とする請求項５記載の空気清浄機。
【請求項７】
清浄化能力表示と室内の汚れ状態表示を所定の時間毎に自動で切替えて表示する自動表示切替手段を備えたことを特徴とする請求項５記載の空気清浄機。
【請求項８】
表示切換手段の入力状況に応じて、清浄化能力表示あるいは室内の汚れ状態表示のどちらであるかを表示するモード表示手段を備えたことを特徴とする請求項６記載の空気清浄機。
【請求項９】
自動表示切換手段は、表示内容に応じて、清浄化能力表示あるいは室内の汚れ状態表示のどちらであるかを表示する自動モード表示手段を備えたことを特徴とする請求項８記載の空気清浄機。
【請求項１０】
自動切替を行なう時間間隔を設定する時間設定手段を備えたことを特徴とする請求項７記載の空気清浄機。
【請求項１１】
少なくとも２項目以上の汚れ対象に対する清浄化能力の表示を、切り換える項目切替手段を備えたことを特徴とする請求項１記載の空気清浄機。
【請求項１２】
少なくとも２項目以上の汚れ状態の表示を切り換える状態表示切替手段を備えたことを特徴とする請求項１記載の空気清浄機。
【請求項１３】
所定の時間間隔で自動的に切り換えて汚れ状態を表示する自動項目切替手段を備えたことを特徴とする請求項１１記載の空気清浄機。
【請求項１４】
所定の時間間隔で自動的に切り換える汚れ状態表示内容を選択する自動表示項目設定手段を備えたことを特徴とする請求項１３記載の空気清浄機。
【請求項１５】
汚れ項目の状態表示切換の時間間隔を設定することができる汚れ切替時間設定手段を備えたことを特徴とする請求項１３記載の空気清浄機。
【発明の詳細な説明】
【技術分野】
【０００１】
本発明は、清浄化する実際の能力を表示する機能を有した空気清浄機に関する。
【背景技術】
【０００２】
近年、空気清浄機の汚れ状態を表示する方法は様々であり、汚れの種類を表示する空気清浄機もある。しかし、室内の空気汚れの表示は行なっているが、その空気汚れが空気清浄機を使用することで清浄化されているか否か、ユーザーは認識することができない。こういった背景のもと、フィルタの交換サインを出力表示するものやフィルタの汚れ具合を段階的に表示するものが知られている（例えば、特許文献１、特許文献２参照）。
【０００３】
以下、特許文献１に示された空気清浄機について、図１２を参照しながら説明する。
【０００４】
図１２に示すように、空気清浄機は、ケーシング２１内に内蔵された送風機２２と、該送風機２２の吸込み側に配設されたフィルタユニット２３と吸込み空気の汚れ度を検出する汚れセンサ２４とを備えており、該フィルタユニット２３により脱臭浄化した空気を空気吹出し口から吹出すように構成された空気清浄機において、汚れセンサ２４による検出値が所定レベル以上となった状態が設定時間継続した時点で前記フィルタユニット２３の交換を促すフィルタ交換サインを出力する制御手段を付設して、汚れセンサ２４の検出値が所定レベル以上となっている状態が所定時間継続した場合を、フィルタユニット２３の目詰まりによりフィルタユニット２３による空気浄化機能が限界に到達したと推定し、フィルタユニット２３の実際の汚れ具合に対応したフィルタ交換サインの出力を行なうように構成されている。
【０００５】
また、特許文献２に示された空気清浄機について、図１３を参照しながら説明する。
【０００６】
図１３に示すように、空気清浄機は、フィルタの汚れ具合を表示するフィルタサイン表示器２５において、その表示を、使用に伴うフィルタの汚れに応じて、複数段階に変化させる。フィルタサイン表示器２５は４つのＬＥＤ２６〜２９により、複数のパターン表示が可能となっている。また、フィルタサイン表示器２５の表示には、フィルタ交換時期である旨の表示が含まれており、フィルタの汚れ度の表示と異なる態様で行なうように構成されている。
【０００７】
さらに、特許文献３に示された空気清浄機の制御装置について、図１４を参照しながら説明する。
【０００８】
図１４に示すように、ニオイセンサ３０の出力からニオイランク判定手段３１がニオイの汚れ度合いのランク付けを判定し、煙センサ３２の出力から煙ランク判定手段３３が煙の汚れ度合いのランク付けを判定し、花粉センサ３４の出力から花粉ランク判定手段３５が花粉の汚れ度合いのランク付けを判定し、ニオイランク判定手段３１、煙ランク判定手段３３及び花粉ランク判定手段３５により判定されたニオイ、煙及び花粉のランク付けをそれぞれランク記憶手段３６、３７、３８が計時手段３９が設定した時間間隔の間で所定数記憶し、ランク記憶手段３６、３７、３８が記憶したニオイ、煙、花粉のランク付けを表示手段４０が各々経時的に所定間隔で最新のランクから過去のランクまで所定数さかのぼって表示するように構成されている。
【特許文献１】特開平９−２２５２５１号公報
【特許文献２】特開２００１−３０４６６９号公報
【特許文献３】特開２００５−２３８０６３号公報
【発明の開示】
【発明が解決しようとする課題】
【０００９】
このような従来の空気清浄機では、フィルタユニットの寿命を段階的に表示する機能を備えたものや、フィルタの汚れ具合を複数段階に変化させて表示する機能は備えているが、使用者は寿命表示や汚れ具合表示と清浄化能力との相関付けが困難であり、空気清浄機が室内空気の清浄化に対して現在有効に働いているか否か確認することができないという課題があり、空気清浄機の清浄化能力を直接表示して使用者に知らせることが要求されている。
【００１０】
また、室内の汚れとフィルタ寿命を切替えて表示する機能は備えているが、清浄化能力をリアルタイムに表示されていないため、現在の汚れレベルと清浄化能力を比較確認することができないという課題があり、空気清浄機の能力に相当する清浄化能力と現在の汚れレベルを表示して使用者に知らせて比較確認を可能とし、より実際の運転条件、フィルタの使用条件に沿った使い方を可能とすることが要求されている。
【００１１】
本発明は、このような従来の課題を解決するものであり、清浄化能力を直接表示して、使用者に知らせるようにすることで、使用者の使い勝手をより向上させ、メンテナンス時期や空気清浄機の効果を解かり易く理解することができる空気清浄機を提供することを目的としている。
【課題を解決するための手段】
【００１２】
本発明の空気清浄機は、空気清浄機の清浄化能力を表示する清浄化能力表示手段を備える構成としたものである。
【００１３】
この手段により、運転することによる清浄化能力を確認することができる空気清浄機が得られる。
【００１４】
また、清浄化能力を表示する室内の汚れ対象は、室内に浮遊する粉塵を含むような構成したものである。
【００１５】
この手段により、室内に浮遊する粉塵、例えば布団の上げ下げ行為による綿埃や喫煙行為による浮遊粉塵、あるいは外部から進入する花粉などに対して表示することができる空気清浄機が得られる。
【００１６】
さらに、清浄化能力を表示する室内の汚れ対象は、室内の揮発性有機化合物を含むような構成としたものである。
【００１７】
この手段により、室内の壁面から揮発するＶＯＣに対しても表示することができる空気清浄機が得られる。
【００１８】
また、清浄化能力を表示する室内の汚れ対象は、室内のアンモニア臭を含むような構成としたものである。
【００１９】
この手段により、トイレ臭の清浄化能力に対しても表示することができる空気清浄機が得られる。
【００２０】
さらに、清浄化能力表示手段は、室内の汚れ状態表示と併用するような構成としたものである。
【００２１】
この手段により、清浄化能力を表示するための表示手段を特段必要とせず、また、室内の汚れレベルと清浄化能力を比較することが容易に可能となり、汚れレベルが高いにも関わらず清浄化能力が低い場合は、ユーザーに対してメンテナンスを促すことができるため、本来の性能を保持することができる空気清浄機が得られる。
【００２２】
また、清浄化能力表示と室内の汚れ状態表示を切り換える表示切換手段を備える構成としたものである。
【００２３】
この手段により、使用者は、清浄化能力の表示と室内の汚れ状態の表示を逐次任意に切り換えることができ、清浄化能力を表示するための表示手段を特段必要とせず、また、室内の汚れレベルと清浄化能力を比較することが簡単な操作で可能となり、汚れレベルが高いにも関わらず清浄化能力が低い場合は、ユーザーに対してメンテナンスを促すことができるため、本来の性能を保持することができる空気清浄機が得られる。
【００２４】
さらに、清浄化能力表示と室内の汚れ状態表示を所定の時間毎に自動で切替えて表示する自動表示切替手段を備える構成としたものである。
【００２５】
この手段により、使用者は、操作することなく清浄化能力の表示と室内の汚れ状態の表示を自動表示させることができ、清浄化能力を表示するための表示手段を特段必要とせず、また、室内の汚れレベルと清浄化能力を比較することが可能となり、汚れレベルが高いにも関わらず、清浄化能力が低い場合は、ユーザーに対してメンテナンスを促すことができるため、本来の性能を保持することができる空気清浄機が得られる。
【００２６】
また、表示切換手段の入力状況に応じて、清浄化能力表示あるいは室内の汚れ状態表示のどちらであるかを表示するモード表示手段を備える構成としたものである。
【００２７】
この手段により、使用者が表示切換を手動操作することで、清浄化能力の表示と室内の汚れ状態の表示の表示形式を共有化することができ、より安価により見易い表示が可能となり、汚れレベルが高いにも関わらず清浄化能力が低い場合は、ユーザーに対してメンテナンスを促すことができるため、本来の性能を保持することができる空気清浄機が得られる。
【００２８】
さらに、自動表示切換手段は、表示内容に応じて、清浄化能力表示あるいは室内の汚れ状態表示のどちらであるかを表示する自動モード表示手段を備える構成としたものである。
【００２９】
この手段により、使用者が操作することもなく、自動で清浄化能力の表示と室内の汚れ状態の表示の表示形式を共有化することができ、より安価により見易い表示が可能となり、汚れレベルが高いにも関わらず、清浄化能力が低い場合は、ユーザーに対してメンテナンスを促すことができるため、本来の性能を保持することができる空気清浄機が得られる。
【００３０】
また、自動切替を行なう時間間隔を設定する時間設定手段を備える構成としたものである。
【００３１】
この手段により、使用者の好みに応じた表示の切替え速度を選択することができる空気清浄機が得られる。
【００３２】
さらに、少なくとも２項目以上の汚れ対象に対する清浄化能力の表示を切り換える項目切替手段を備える構成としたものである。
【００３３】
この手段により、より広い範囲からより早く吸込み空気を空気清浄機内に取り込むことができ、より広い範囲により早く清浄化した空気を吹出すことができるため、室内の空気の清浄化をより早く行なうことができる空気清浄機が得られる。
【００３４】
また、少なくとも２項目以上の汚れ状態の表示を切り換える状態表示切替手段を備える構成としたものである。
【００３５】
この手段により、使用者の見たい汚れ対象物質を選択的に表示することを可能とすることができる空気清浄機が得られる。
【００３６】
さらに、所定の時間間隔で自動的に切り換えて汚れ状態を表示する自動項目切替手段を備える構成としたものである。
【００３７】
この手段により、汚れ対象物質の清浄化性能を循環式に自動表示することができる空気清浄機が得られる。
【００３８】
また、所定の時間間隔で自動的に切り換える汚れ状態表示内容を選択する自動表示項目設定手段を備える構成としたものである。
【００３９】
この手段により、使用者の見たい汚れ対象物質を自動的に切替えて表示するように設定することができ、より使用者の好み、あるいは生活環境に対応した使い勝手のよい空気清浄機が得られる。
【００４０】
さらに、汚れ項目の状態表示切換の時間間隔を設定することができる汚れ切替時間設定手段を備える構成としたものである。
【００４１】
この手段により、使用者の好みに応じた状態表示の切替え速度を選択することができる空気清浄機が得られる。
【発明の効果】
【００４２】
本発明によれば、空気清浄機の清浄化能力を表示する清浄化能力表示手段を備える構成とすることで、室内に入室し滞在時間が経過したことで臭覚が鈍くなった場合であっても、運転することによる清浄化能力を確認することができる空気清浄機を提供できる。
【００４３】
また、清浄化能力を表示する室内の汚れ対象は、室内に浮遊する粉塵を含むような構成とすることで、室内に浮遊する粉塵、例えば布団の上げ下げ行為による綿埃や喫煙行為による浮遊粉塵、あるいは外部から進入する花粉などに対して表示することができる空気清浄機を提供できる。
【００４４】
さらに、清浄化能力を表示する室内の汚れ対象は、室内の揮発性有機化合物を含むような構成とすることで、室内の壁面から揮発するＶＯＣに対しても表示することができる空気清浄機を提供できる。
【００４５】
また、清浄化能力を表示する室内の汚れ対象は、室内のアンモニア臭を含むような構成とすることで、トイレ臭の清浄化能力に対しても表示することができる空気清浄機を提供できる。
【００４６】
さらに、清浄化能力表示手段は、室内の汚れ状態表示と併用するような構成とすることで、清浄化能力を表示するための表示手段を特段必要とせず、また、室内の汚れレベルと清浄化能力を比較することが容易に可能となり、汚れレベルが高いにも関わらず清浄化能力が低い場合は、ユーザーに対してメンテナンスを促すことができるため、本来の性能を保持することができる空気清浄機を提供できる。
【００４７】
また、清浄化能力表示と室内の汚れ状態表示を切り換える表示切換手段を備える構成とすることで、使用者は、清浄化能力の表示と室内の汚れ状態の表示を逐次任意に切り換えることができ、清浄化能力を表示するための表示手段を特段必要とせず、また、室内の汚れレベルと清浄化能力を比較することが簡単な操作で可能となり、汚れレベルが高いにも関わらず清浄化能力が低い場合は、ユーザーに対してメンテナンスを促すことができるため、本来の性能を保持することができる空気清浄機を提供できる。
【００４８】
さらに、清浄化能力表示と室内の汚れ状態表示を所定の時間毎に自動で切替えて表示する自動表示切替手段を備える構成とすることで、使用者は、操作することなく清浄化能力の表示と室内の汚れ状態の表示を自動表示させることができ、清浄化能力を表示するための表示手段を特段必要とせず、また、室内の汚れレベルと清浄化能力を比較することが可能となり、汚れレベルが高いにも関わらず、清浄化能力が低い場合は、ユーザーに対してメンテナンスを促すことができるため、本来の性能を保持することができる空気清浄機を提供できる。
【００４９】
また、表示切換手段の入力状況に応じて、清浄化能力表示あるいは室内の汚れ状態表示のどちらであるかを表示するモード表示手段を備える構成とすることで、使用者が表示切換を手動操作することで、清浄化能力の表示と室内の汚れ状態の表示の表示形式を共有化することができ、より安価により見易い表示が可能となり、汚れレベルが高いにも関わらず清浄化能力が低い場合は、ユーザーに対してメンテナンスを促すことができるため、本来の性能を保持することができる空気清浄機を提供できる。
【００５０】
さらに、自動表示切換手段は、表示内容に応じて、清浄化能力表示あるいは室内の汚れ状態表示のどちらであるかを表示する自動モード表示手段を備える構成とすることで、使用者が操作することもなく、自動で清浄化能力の表示と室内の汚れ状態の表示の表示形式を共有化することができ、より安価により見易い表示が可能となり、汚れレベルが高いにも関わらず、清浄化能力が低い場合は、ユーザーに対してメンテナンスを促すことができるため、本来の性能を保持することができる空気清浄機を提供できる。
【００５１】
また、自動切替を行なう時間間隔を設定する時間設定手段を備える構成とすることで、使用者の好みに応じた表示の切替え速度を選択することができる空気清浄機を提供できる。
【００５２】
さらに、少なくとも２項目以上の汚れ対象に対する清浄化能力の表示を切り換える項目切替手段を備える構成とすることで、より広い範囲からより早く吸込み空気を空気清浄機内に取り込むことができ、より広い範囲により早く清浄化した空気を吹出すことができるため、室内の空気の清浄化をより早く行なうことができる空気清浄機を提供できる。
【００５３】
また、少なくとも２項目以上の汚れ状態の表示を切り換える状態表示切替手段を備える構成とすることで、使用者の見たい汚れ対象物質を選択的に表示することを可能とすることができる空気清浄機を提供できる。
【００５４】
さらに、所定の時間間隔で自動的に切り換えて汚れ状態を表示する自動項目切替手段を備える構成とすることで、汚れ対象物質の清浄化性能を循環式に自動表示することができる空気清浄機を提供できる。
【００５５】
また、所定の時間間隔で自動的に切り換える汚れ状態表示内容を選択する自動表示項目設定手段を備える構成とすることで、使用者の見たい汚れ対象物質を自動的に切替えて表示するように設定することができ、より使用者の好み、あるいは生活環境に対応した使い勝手のよい空気清浄機を提供できる。
【００５６】
さらに、汚れ項目の状態表示切換の時間間隔を設定することができる汚れ切替時間設定手段を備える構成とすることで、使用者の好みに応じた状態表示の切替え速度を選択することができる空気清浄機を提供できる。
【発明を実施するための最良の形態】
【００５７】
本発明の請求項１記載の発明は、空気清浄機の清浄化能力を表示する清浄化能力表示手段を備える構成としたものであり、室内に入室し滞在時間が経過したことで臭覚が鈍くなった場合であっても、運転することによる清浄化能力を確認することができるという作用を有する。
【００５８】
また、清浄化能力を表示する室内の汚れ対象は、室内に浮遊する粉塵を含むような構成としたものであり、室内に浮遊する粉塵、例えば布団の上げ下げ行為による綿埃や喫煙行為による浮遊粉塵、あるいは外部から進入する花粉などに対して表示することができるという作用を有する。
【００５９】
さらに、清浄化能力を表示する室内の汚れ対象は、室内の揮発性有機化合物を含むような構成としたものであり、室内の壁面から揮発するＶＯＣに対しても表示することができるという作用を有する。
【００６０】
また、清浄化能力を表示する室内の汚れ対象は、室内のアンモニア臭を含むような構成としたものであり、トイレ臭の清浄化能力に対しても表示することができるという作用を有する。
【００６１】
さらに、清浄化能力表示手段は、室内の汚れ状態表示と併用するような構成としたものであり、清浄化能力を表示するための表示手段を特段必要とせず、また、室内の汚れレベルと清浄化能力を比較することが容易に可能となり、汚れレベルが高いにも関わらず清浄化能力が低い場合は、ユーザーに対してメンテナンスを促すことができるため、本来の性能を保持することができるという作用を有する。
【００６２】
また、清浄化能力表示と室内の汚れ状態表示を切り換える表示切換手段を備える構成としたものであり、使用者は、清浄化能力の表示と室内の汚れ状態の表示を逐次任意に切り換えることができ、清浄化能力を表示するための表示手段を特段必要とせず、また、室内の汚れレベルと清浄化能力を比較することが簡単な操作で可能となり、汚れレベルが高いにも関わらず清浄化能力が低い場合は、ユーザーに対してメンテナンスを促すことができるため、本来の性能を保持することができるという作用を有する。
【００６３】
さらに、清浄化能力表示と室内の汚れ状態表示を所定の時間毎に自動で切替えて表示する自動表示切替手段を備える構成としたものであり、使用者は、操作することなく清浄化能力の表示と室内の汚れ状態の表示を自動表示させることができ、清浄化能力を表示するための表示手段を特段必要とせず、また、室内の汚れレベルと清浄化能力を比較することが可能となり、汚れレベルが高いにも関わらず、清浄化能力が低い場合は、ユーザーに対してメンテナンスを促すことができるため、本来の性能を保持することができるという作用を有する。
【００６４】
また、表示切換手段の入力状況に応じて、清浄化能力表示あるいは室内の汚れ状態表示のどちらであるかを表示するモード表示手段を備える構成としたものであり、使用者が表示切換を手動操作することで、清浄化能力の表示と室内の汚れ状態の表示の表示形式を共有化することができ、より安価により見易い表示が可能となり、汚れレベルが高いにも関わらず清浄化能力が低い場合は、ユーザーに対してメンテナンスを促すことができるため、本来の性能を保持することができるという作用を有する。
【００６５】
さらに、自動表示切換手段は、表示内容に応じて、清浄化能力表示あるいは室内の汚れ状態表示のどちらであるかを表示する自動モード表示手段を備える構成としたものであり、使用者が操作することもなく、自動で清浄化能力の表示と室内の汚れ状態の表示の表示形式を共有化することができ、より安価により見易い表示が可能となり、汚れレベルが高いにも関わらず、清浄化能力が低い場合は、ユーザーに対してメンテナンスを促すことができるため、本来の性能を保持することができるという作用を有する。
【００６６】
また、自動切替を行なう時間間隔を設定する時間設定手段を備える構成としたものであり、使用者の好みに応じた表示の切替え速度を選択することができるという作用を有する。
【００６７】
さらに、少なくとも２項目以上の汚れ対象に対する清浄化能力の表示を切り換える項目切替手段を備える構成としたものであり、より広い範囲からより早く吸込み空気を空気清浄機内に取り込むことができ、より広い範囲により早く清浄化した空気を吹出すことができるため、室内の空気の清浄化をより早く行なうことができるという作用を有する。
【００６８】
また、少なくとも２項目以上の汚れ状態の表示を切り換える状態表示切替手段を備える構成としたものであり、使用者の見たい汚れ対象物質を選択的に表示することを可能とすることができるという作用を有する。
【００６９】
さらに、所定の時間間隔で自動的に切り換えて汚れ状態を表示する自動項目切替手段を備える構成としたものであり、汚れ対象物質の清浄化性能を循環式に自動表示することができるという作用を有する。
【００７０】
また、所定の時間間隔で自動的に切り換える汚れ状態表示内容を選択する自動表示項目設定手段を備える構成としたものであり、使用者の見たい汚れ対象物質を自動的に切替えて表示するように設定することができ、より使用者の好み、あるいは生活環境に対応した使い勝手がよくできるという作用を有する。
【００７１】
さらに、汚れ項目の状態表示切換の時間間隔を設定することができる汚れ切替時間設定手段を備える構成としたものであり、使用者の好みに応じた状態表示の切替え速度を選択することができるという作用を有する。
【００７２】
以下、本発明の実施の形態について図面を参照しながら説明する。
【００７３】
（実施の形態１）
図１は、本実施の形態１における空気清浄機の構成図を示す。
【００７４】
図に示すように、空気清浄機は、本体１の正面にフロントパネルを設け、本体正面の下部に吸込み口２、正面の上部に吹出し口３を備えており、本体１の正面左部に室内の汚れ状態表示と併用した清浄化能力表示手段４の表示部４ａを備えている。本体１の内部の吸込み口２の近傍には吸込み空気の粉塵量を検出する吸気粉塵センサ５、揮発性有機化合物による空気汚れを検出する吸気ＶＯＣセンサ６およびアンモニアによる空気汚れを検出する吸気アンモニアセンサ７と、吹出し口３の近傍には吹出し空気の粉塵量を検出する吹出し粉塵センサ８、揮発性有機化合物による空気汚れを検出する吹出しＶＯＣセンサ９およびアンモニアによる空気汚れを検出する吹出しアンモニアセンサ１０と、各センサ信号から清浄化能力を判定する判定手段４ｂと表示部４ａに状態を出力する出力部４ｃを備えている。また、本体１の天面には、清浄化能力の表示と室内の汚れ状態の表示を切り換える表示切換手段としての切換スイッチ１１と、切換スイッチ１１のオンオフの状態に応じて清浄化能力表示あるいは室内の汚れ状態表示のどちらであるかを表示するモード表示手段１２としての表示ＬＥＤ１２ａ、表示ＬＥＤ１２ｂを備えている。表示ＬＥＤ１２ａが点灯している場合は、清浄化能力が表示されていることを示し、表示ＬＥＤ１２ｂが点灯している場合は、室内の汚れ状態が表示されていることを示している。また、出力部４ｃは判定した清浄化能力を電気信号に変換、例えば正規化した直流電圧に変換してレベル信号を出力し、表示部４ａに表示させる構成としている。
【００７５】
次に、判定手段４ｂのフローチャートについて、図２を参照しながら説明する。
【００７６】
図２に示すように、判定手段４ｂは吸込み側と吹出し側のそれぞれの粉塵判定、ＶＯＣ判定およびアンモニア判定に別れており、最終的に総合的な清浄化能力を判定するようになっている。はじめに、清浄化能力の判定は、吸気粉塵センサ５、吸気ＶＯＣセンサ６、吸気アンモニアセンサ７の出力信号を入力して室内の空気汚れレベルを５段階で判定する。吸込み側の各センサの信号からレベル変換を行い、各センサの快適性に関する重み付け、例えば粉塵の重みを３、ＶＯＣの重みを２、アンモニアの重みを５として演算する。重みとセンサ信号値を乗じて、全センサの重み付け値を加算する。加算した値が図２の中の表１のテーブル値と比較、大小判定を行なって、室内の空気汚れレベルを判定する。次に、同様のシーケンスを通して吹出し側の空気汚れレベルを判定する。さらに、判定した吸気側の総合的な汚れレベルと、吹出し側の総合的な汚れレベルを減算してレベル減少値を算出する。算出したレベル減少値を４段階の空気清浄機の清浄化能力を判定する。判定した清浄化能力は、出力部４ｃへ出力することとなる。
【００７７】
以上のように、本実施の形態１によれば、空気清浄機の清浄化能力をリアルタイムで確認することができることとなる。清浄化能力の表示は、室内に浮遊する粉塵、ＶＯＣ臭、およびアンモニア臭に対する能力表示となっており、種類別に表示することとなっている。
【００７８】
さらに、清浄化能力の表示は、室内の汚れ状態表示と併用する構成となっており、より安価でかつ両表示を比較確認することができるようになっている。
【００７９】
（実施の形態２）
図３は、本実施の形態２における空気清浄機の構成図を示す。
【００８０】
なお、実施の形態１と同一のものは同一記号を付し、詳細な説明は省略する。
【００８１】
図に示すように、空気清浄機は、本体１の正面にフロントパネルを設け、本体正面の下部に吸込み口２、正面の上部に吹出し口３を備えており、本体１の正面左部に表示部４ａを備えている。本体１の内部には吸気粉塵センサ５、吸気ＶＯＣセンサ６、吸気アンモニアセンサ７、吹出し粉塵センサ８、吹出しＶＯＣセンサ９および吹出しアンモニアセンサ１０と、判定手段４ｂと、出力部４ｃ、さらに清浄化能力表示と室内の汚れ状態表示を所定の時間毎に自動で切替えて表示する自動表示切替手段１３と、表示内容に応じて、清浄化能力表示あるいは室内の汚れ状態表示のどちらであるかを表示する自動モード表示手段１４と、自動切替を行なう時間間隔を設定する時間設定手段１５と、２項目以上の汚れ対象に対する清浄化能力の表示内容を切り換える項目切替手段１６と、２項目以上の汚れ状態の表示を切り換える状態表示切替手段１７と、所定の時間間隔で自動的に切り換えて汚れ状態を表示する自動項目切替手段１８と、所定の時間間隔で自動的に切り換える汚れ状態表示内容を選択する自動表示項目設定手段１９と、汚れ項目の状態表示切換の時間間隔を設定する汚れ切替時間設定手段２０を備えている。
【００８２】
次に、自動表示切替手段１３の制御フローチャートについて、図４を参照しながら説明する。
【００８３】
図に示すように、自動表示切替手段１３は、判定手段４ｂで判定した吸込み側の粉塵による汚れレベル、ＶＯＣによる汚れレベル、アンモニアによる汚れレベル、総合的な室内の空気の汚れレベル、各汚れに対する清浄化能力を入力する。さらに、時間設定手段１５から時間間隔を入力する。入力した時間間隔を内部タイマーにセットし、室内の汚れ状態を表示部４ａへ送信し、さらに自動モード表示手段１４に対して室内の汚れ状態表示のビット情報をオンし、清浄化能力表示のビット情報をオフする。その後、内部タイマーをスタートさせる。タイマーで設定した時間が経過すれば、清浄化能力を表示部４ａへ送信し、さらに自動モード表示手段１４に対して清浄化能力表示のビット情報をオンし、室内の汚れ状態表示のビット情報をオフする。このフローを反復させることで、空気の汚れレベルと清浄化能力を設定された時間間隔で交互に表示部４ａへ送信することとなる。
【００８４】
次に、自動モード表示手段１４に備えた自動モード表示判定部１４ａの制御フローチャートについて、図５を参照しながら説明する。
【００８５】
図に示すように、自動モード表示判定部１４ａは、自動表示切替手段１３から室内の汚れ状態表示と清浄化能力表示の各ビット情報を入力する。入力した結果、室内の汚れ状態表示のビット情報がオンであれば、室内の汚れ状態表示用のＬＥＤ１４ｂを点灯させ、清浄化能力表示のビット情報がオンであれば、清浄化能力表示用のＬＥＤ１４ｃを点灯させるように制御する。
【００８６】
次に、時間設定手段１５の設定時間判定部１５ａの制御フローチャートについて、図６を参照しながら説明する。
【００８７】
図に示すように、設定時間判定部１５ａは、設定入力部１５ｂにより入力、確定した設定時間を判定する。入力した時間が許容時間以内となっているか否かを判断して、許容範囲内であれば、設定を有効と判断する。許容範囲外であれば、設定を無効と判断して処理を終了する。その結果、有効と判断した場合。判定した設定時間を自動表示切替手段１３および自動項目切替手段１８に送信する。
【００８８】
次に、項目切替手段１６の項目切替判定部１６ａの制御フローチャートについて、図７を参照しながら説明する。
【００８９】
図に示すように、項目切替判定部１６ａは、項目毎の清浄化能力、すなわち粉塵を対象とした清浄化能力、ＶＯＣを対象とした清浄化能力、アンモニアを対象とした清浄化能力を入力する。はじめに項目切替判定部１６ａは、初期表示項目として粉塵を対象とした清浄化能力を設定する。次に項目切替タイマーをＴ１として設定して、タイマーをスタートさせる。その後、タイマーカウントを開始させ、Ｔ１時間経過後に表示項目をＶＯＣを対象とした清浄化能力に切り替える。その後、さらに、タイマーを再度セットしてスタートさせる。Ｔ１時間経過後、表示項目はアンモニアを対象とした清浄化能力にセットする。さらにその後、Ｔ１時間後に粉塵を対象とした清浄化能力をセットする。この処理を反復することで、逐次表示項目を切り替えることとなる。
【００９０】
次に、状態表示切替手段１７の制御フローチャートについて、図８を参照しながら説明する。
【００９１】
図に示すように、状態表示切替手段１７は、項目毎の空気の汚れ、すなわち粉塵による空気の汚れ、ＶＯＣによる空気の汚れ、アンモニアによる空気の汚れを入力する。はじめに項目切替部１７ａは、初期表示項目として粉塵による空気の汚れを設定する。次に項目切替タイマーをＴ２として設定して、タイマーをスタートさせる。その後、タイマーカウントを開始させ、Ｔ２時間経過後に表示項目をＶＯＣによる空気の汚れに切り替える。その後、さらに、タイマーを再度セットしてスタートさせる。Ｔ２時間経過後、表示項目はアンモニアによる空気の汚れにセットする。さらにその後、Ｔ２時間後に粉塵による空気の汚れをセットする。この処理を反復することで、逐次表示項目を切り替えることとなる。
【００９２】
次に、自動項目切替手段１８の制御フローチャートについて、図９を参照しながら説明する。
【００９３】
図に示すように、自動項目切替手段１８は、項目毎の清浄化能力、すなわち粉塵を対象とした清浄化能力、ＶＯＣを対象とした清浄化能力、アンモニアを対象とした清浄化能力を入力する。さらに、時間設定手段１５から時間間隔を入力する。はじめに項目切替判定部１６ａは、初期表示項目として粉塵を対象とした清浄化能力を設定する。次に項目切替タイマーを時間設定手段１５より入力されたタイマー時間Ｔａとして設定して、タイマーをスタートさせる。その後、タイマーカウントを開始させ、Ｔａ時間経過後に表示項目をＶＯＣを対象とした清浄化能力に切り替える。その後、さらに、タイマーを再度セットしてスタートさせる。Ｔａ時間経過後、表示項目はアンモニアを対象とした清浄化能力にセットする。さらにその後、Ｔａ時間後に粉塵を対象とした清浄化能力をセットする。この処理を反復することで、逐次表示項目を切り替えることとなる。
【００９４】
次に、自動表示項目設定手段１９の制御フローチャートについて、図１０を参照しながら説明する。
【００９５】
図に示すように、自動表示項目設定手段１９は、設定部１９ａから入力された情報を設定する。設定部１９ａに入力された情報は、粉塵による空気汚れの表示、ＶＯＣによる空気汚れの表示、アンモニアによる空気汚れ状態の表示に関する表示オンオフ情報である。３つの項目に対して、各汚れ対象に対して、オンオフの設定情報により巡回表示する情報から除外する項目を判定する。判定した結果、オフ設定であれば、その項目を状態表示項目から除外すると同時に、項目切替時のタイマー挿入を除外する。除外項目に全項目設定された場合は、汚れ状態の表示を停止と判断する。これにより、使用者の表示要求に合った項目のみ表示することとなる。
【００９６】
次に、汚れ切替時間設定手段２０の制御フローチャートについて、図１１を参照しながら説明する。
【００９７】
図に示すように、汚れ切替時間設定手段２０は、時間設定部２０ａから入力された時間情報を入力する。入力された時間情報から最大最小の時間間隔外での設定であれば、設定されず、時間設定部２０ａの入力を無効データとして扱う。有効範囲内であれば、汚れ切替時間としてセットし、自動表示項目設定手段１９に項目切替時のタイマー値として出力する。
【００９８】
以上のように、本実施の形態２によれば、清浄化能力表示と室内の汚れ状態表示を所定の時間毎に自動で切替えて表示することができることとなる。また、清浄化能力表示と室内の汚れ状態表示のいずれの表示を行なっているかの識別も可能となる。さらに清浄化能力、室内の汚れ状態の表示において、自動切換えの表示項目と表示切換時間を設定できるため、利用者の好みに応じた表示の切換速度を選択することができる。
【産業上の利用可能性】
【００９９】
各種機器の実際の能力表示に関するものであり、空気の清浄化に関するもの以外に温熱制御に関する機器の能力表示などの用途にも適用できる。
【図面の簡単な説明】
【０１００】
【図１】本発明の実施の形態１における空気清浄機の構成図
【図２】同判定手段４ｂのフローチャート
【図３】本発明の実施の形態２における空気清浄機の構成図
【図４】同自動表示切替手段１３の制御フローチャート
【図５】同自動モード表示手段１４の制御フローチャート
【図６】同設定時間判定部１５ａの制御フローチャート
【図７】同項目切替判定部１６ａの制御フローチャート
【図８】同状態表示切替手段１７の制御フローチャート
【図９】同自動項目切替手段１８の制御フローチャート
【図１０】同自動表示項目設定手段１９の制御フローチャート
【図１１】汚れ切替時間設定手段２０の制御フローチャート
【図１２】特許文献１における従来の空気清浄機の構成図
【図１３】特許文献２における従来の空気清浄機の構成図
【図１４】特許文献３における従来の空気清浄機の制御装置の構成図
【符号の説明】
【０１０１】
１      本体
２      吸込み口
３      吹出し口
４      清浄化能力表示手段
４ａ    表示部
４ｂ    判定手段
４ｃ    出力部
５      吸気粉塵センサ
６      吸気ＶＯＣセンサ
７      吸気アンモニアセンサ
８      吹出し粉塵センサ
９      吹出しＶＯＣセンサ
１０    吹出しアンモニアセンサ
１１    切換スイッチ
１２    モード表示手段
１２ａ  表示ＬＥＤ
１２ｂ  表示ＬＥＤ
１３    自動表示切替手段
１４    自動モード表示手段
１５    時間設定手段
１６    項目切替手段
１７    状態表示切替手段
１８    自動項目切替手段
１９    自動表示項目設定手段
２０    汚れ切替時間設定手段
【図１】
2008136975.tif 000003
【図２】
2008136975.tif 000004
【図３】
2008136975.tif 000005
【図４】
2008136975.tif 000006
【図５】
2008136975.tif 000007
【図６】
2008136975.tif 000008
【図７】
2008136975.tif 000009
【図８】
2008136975.tif 000010
【図９】
2008136975.tif 000011
【図１０】
2008136975.tif 000012
【図１１】
2008136975.tif 000013
【図１２】
2008136975.tif 000014
【図１３】
2008136975.tif 000015
【図１４】
2008136975.tif 000016